【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
第１記憶手段と第２記憶手段を備え、前記第１記憶手段及び前記第２記憶手段にアクセスできる第１電力モードと前記第１記憶手段にアクセスでき前記第２記憶手段にアクセスできない第２電力モードとを含む複数の電力モードのうち何れかの電力モードで動作する情報処理装置であって、
データを入力する入力手段と、
前記情報処理装置が前記第１電力モードで動作している際に、前記入力手段により入力されたデータを前記第１記憶手段及び前記第２記憶手段に書き込む第１書込手段と、
前記情報処理装置が前記第２電力モードで動作している際に、前記入力手段により入力されたデータを前記第１記憶手段に書き込み前記第２記憶手段に書き込まない第２書込手段と、
前記情報処理装置が前記第１電力モードに遷移した際に、前記情報処理装置が前記第２電力モードで動作している際に前記第１記憶手段に書き込まれたデータを前記第２記憶手段に書き込む第３書込手段と、を有することを特徴とする情報処理装置。
【請求項２】
前記第２電力モードで動作している際に前記第１記憶手段にデータが書き込まれた履歴を示す履歴情報を保持する保持手段を更に有し、
前記第３書込手段は、前記保持手段に保持された前記履歴情報に従って、前記情報処理装置が前記第２電力モードで動作している際に前記第１記憶手段に書き込まれたデータを前記第２記憶手段に書き込むことを特徴とする請求項１に記載の情報処理装置。
【請求項３】
前記第１書込手段は、前記第１電力モードで動作し前記第２電力モードで動作しないことを特徴とする請求項１又は２に記載の情報処理装置。
【請求項４】
前記第１書込手段は、前記第１電力モード及び前記第２電力モードで動作し、前記第１電力モードで前記第１記憶手段に書き込みを行わず前記第２電力モードで前記第１記憶手段に書き込みを行うことを特徴とする請求項１又は２に記載の情報処理装置。
【請求項５】
前記複数の電力モードは、前記第１記憶手段及び前記第２記憶手段にアクセスできない第３電力モードを含むことを特徴とする請求項１乃至４の何れか１項に記載の情報処理装置。
【請求項６】
外部装置からのアクセスに応答するためのデータを記憶する第３記憶手段と、
前記情報処理装置が前記第３電力モードで動作している際において、前記外部装置からのアクセスが前記第３記憶手段に記憶されたデータで応答できるものであった場合に、当該第３記憶手段に記憶されたデータのうち当該問い合わせに対応するデータを当該外部装置に送信する送信手段と、を更に有することを特徴とする請求項５に記載の情報処理装置。
【請求項７】
前記複数の電力モードの中で前記情報処理装置の電力モードを遷移させる遷移手段を更に有することを特徴とする請求項５又は６に記載の情報処理装置。
【請求項８】
前記遷移手段は、前記情報処理装置が前記第１電力モードで動作している際において、操作手段による指示が所定時間なかった場合、外部装置からのアクセスが所定時間なかった場合、又は、前記操作手段により前記第３電力モードへの遷移指示があった場合に、前記情報処理装置を前記第３電力モードへ遷移させることを特徴とする請求項７に記載の情報処理装置。
【請求項９】
前記遷移手段は、前記情報処理装置が前記第３電力モードで動作している際において、操作手段により前記第１電力モードへの遷移指示があった場合、前記外部装置から所定種類のアクセスがあった場合、又は、前記操作手段により前記第３電力モードが解除指示があった場合に、前記情報処理装置を前記第１電力モードへ遷移させることを特徴とする請求項８に記載の情報処理装置。
【請求項１０】
前記遷移手段は、前記情報処理装置が前記第３電力モードで動作している際において、外部装置から前記第１記憶手段へのアクセスがあった場合に、前記情報処理装置を前記第２電力モードへ遷移させることを特徴とする請求項７乃至９の何れか１項に記載の情報処理装置。
【請求項１１】
前記遷移手段は、前記情報処理装置が前記第２電力モードで動作している際において、前記第１記憶手段へのアクセスが完了した場合に、前記情報処理装置を前記第３電力モードへ遷移させることを特徴とする請求項７乃至１０の何れか１項に記載の情報処理装置。
【請求項１２】
第１記憶手段と第２記憶手段を備え、前記第１記憶手段及び前記第２記憶手段にアクセスできる第１電力モードと前記第１記憶手段にアクセスでき前記第２記憶手段にアクセスできない第２電力モードとを含む複数の電力モードのうち何れかの電力モードで動作する情報処理装置の制御方法であって、
入力手段が、データを入力する入力工程と、
第１書込手段が、前記情報処理装置が前記第１電力モードで動作している際に、前記入力工程により入力されたデータを前記第１記憶手段及び前記第２記憶手段に書き込む第１書込工程と、
第２書込手段が、前記情報処理装置が前記第２電力モードで動作している際に、前記入力工程により入力されたデータを前記第１記憶手段に書き込み前記第２記憶手段に書き込まない第２書込工程と、
第３書込手段が、前記情報処理装置が前記第１電力モードに遷移した際に、前記情報処理装置が前記第２電力モードで動作している際に前記第１記憶手段に書き込まれたデータを前記第２記憶手段に書き込む第３書込工程と、を実行することを特徴とする制御方法。
【手続補正２】
【補正対象書類名】明細書
【補正対象項目名】０００７
【補正方法】変更
【補正の内容】
【０００７】
本発明は、例えば、第１記憶手段と第２記憶手段を備え、第１記憶手段及び第２記憶手段にアクセスできる第１電力モードと第１記憶手段にアクセスでき第２記憶手段にアクセスできない第２電力モードとを含む複数の電力モードのうち何れかの電力モードで動作する情報処理装置として実現できる。本情報処理装置は、データを入力する入力手段と、情報処理装置が第１電力モードで動作している際に、入力手段により入力されたデータを第１記憶手段及び第２記憶手段に書き込む第１書込手段と、情報処理装置が第２電力モードで動作している際に、入力手段により入力されたデータを第１記憶手段に書き込み第２記憶手段に書き込まない第２書込手段と、情報処理装置が第１電力モードに遷移した際に、情報処理装置が第２電力モードで動作している際に第１記憶手段に書き込まれたデータを第２記憶手段に書き込む第３書込手段と、を有することを特徴とする。
【手続補正３】
【補正対象書類名】明細書
【補正対象項目名】０００８
【補正方法】変更
【補正の内容】
【０００８】
また、本発明は、例えば、第１記憶手段と第２記憶手段を備え、第１記憶手段及び第２記憶手段にアクセスできる第１電力モードと第１記憶手段にアクセスでき第２記憶手段にアクセスできない第２電力モードとを含む複数の電力モードのうち何れかの電力モードで動作する情報処理装置の制御方法として実現できる。制御方法は、入力手段が、データを入力する入力工程と、第１書込手段が、情報処理装置が第１電力モードで動作している際に、入力工程により入力されたデータを第１記憶手段及び第２記憶手段に書き込む第１書込工程と、第２書込手段が、情報処理装置が第２電力モードで動作している際に、入力工程により入力されたデータを第１記憶手段に書き込み第２記憶手段に書き込まない第２書込工程と、第３書込手段が、情報処理装置が第１電力モードに遷移した際に、情報処理装置が第２電力モードで動作している際に第１記憶手段に書き込まれたデータを第２記憶手段に書き込む第３書込工程と、を実行することを特徴とする。